(57)【要約】【課題】あらゆる方向からの車両の接近に対しても高い視認性を示すことができ、また汚染による視認性の低下度合いが比較的抑えられる高視認性防護柵を提供する。【解決手段】横梁２０の端縁に発光部１０が設けられ、その発光部１０が発光することで夜間における端縁の視認性を高めて、車両や歩行者等道路利用者の接触を防止することができ、また発光することで車両の前照灯からの光による再帰反射に頼ることなく、あらゆる方向からの車両の接近に対しても高い視認性を示すことができる。また発光部１０は発光するものであるから、再帰反射の場合よりも汚染による視認性の低下度合いは低く抑えることができる。【参照図】        図１【特許請求の範囲】
【請求項１】
支柱に横梁が取り付けられた防護柵において、前記横梁の延設方向の端縁に発光部が設けられていることを特徴とする高視認性防護柵。
【請求項２】
前記発光部は、点滅するものであることを特徴とする請求項１に記載の高視認性防護柵。
【請求項３】
前記横梁は、中空部を有する鋼管からなり、前記中空部は前記横梁の延設方向に開口されたものであって、前記発光部が前記端縁から前記中空部に嵌着されていることを特徴とする請求項１又は２に記載の高視認性防護柵。
【請求項４】
前記発光部は、太陽電池が一体に設けられたものであって、該太陽電池が発電する電力により発光するものであることを特徴とする請求項１〜３のいずれかに記載の高視認性防護柵。
【請求項５】
前記太陽電池は、前記横梁の上面の一部が切り欠かれて設けられた切欠き部から太陽光が入射されるようになされていることを特徴とする請求項４に記載の高視認性防護柵。
【発明の詳細な説明】
【技術分野】
【０００１】
本発明は、夜間における視認性が高められた高視認性防護柵に関するものである。
【背景技術】
【０００２】
防護柵は、その延設方向の端縁は車両や歩行者等の道路利用者の進行方向と正対するものであり、昼間は問題なく視認できる場合でも、夜間においてはとりわけ暗色系の色調となされたものについてはその端縁が認識し辛い場合があり、認識し辛い場合には道路利用者の進行方向と正対していることから、道路利用者と防護柵の延設方向の端縁との接触や衝突等が発生する恐れは極めて高いものとなる。その対策として従来、夜間における延設方向の端縁の視認性が高められている防護柵については、例えば特許文献１において、連結固定具を介して防護柵に取り付けられる筒体の一端に、回動可能に反射具が取り付けられ、夜間において車両のヘッドライト光が再帰反射されることで防護柵の視認性を高める防護柵が開示されている。
【０００３】
【特許文献１】特開２００２−６９９５４号公報
【発明の開示】
【発明が解決しようとする課題】
【０００４】
しかしながら、特許文献１に記載の如き防護柵では、正対する方向から車両のヘッドライト光が照射された場合に初めて再帰反射が行われて反射具の存在が視認できるものであり、交差点付近等、車両がカーブしながら接近してくる際には、視認が遅れての衝突が起こる恐れがある。また煤じん等により表面が汚染されると、視認性の低下が顕著に起こるものであった。
【０００５】
本発明は上記の如き課題に鑑みてなされたものであり、あらゆる方向からの車両の接近に対しても高い視認性を示すことができ、また汚染による視認性の低下度合いが比較的抑えられる高視認性防護柵を提供せんとするものである。
【課題を解決するための手段】
【０００６】
上記目的を達成するため、本発明は以下のような構成としている。すなわち、本発明に係わる高視認性防護柵は、支柱に横梁が取り付けられた防護柵において、前記横梁の延設方向の端縁に発光部が設けられていることを特徴とするものである。
【０００７】
また前記発光部は、点滅するものであることを特徴とするものである。
【０００８】
また前記横梁は、中空部を有する鋼管からなり、前記中空部は前記横梁の延設方向に開口されたものであって、前記発光部が前記端縁から前記中空部に嵌着されていることを特徴とするものである。
【０００９】
また前記発光部は、太陽電池が一体に設けられたものであって、該太陽電池が発電する電力により発光するものであることを特徴とするものである。
【００１０】
また前記太陽電池は、前記横梁の上面の一部が切り欠かれて設けられた切欠き部から太陽光が入射されるようになされていることを特徴とするものである。
【発明の効果】
【００１１】
請求項１に記載の本発明に係わる高視認性防護柵によれば、端縁に発光部が設けられ、その発光部が発光することで夜間における端縁の視認性を高めて、車両や歩行者等道路利用者の接触を防止することができ、また発光することで車両の前照灯からの光による再帰反射に頼ることなく、あらゆる方向からの車両の接近に対しても高い視認性を示すことができる。また発光部は発光するものであるから、再帰反射の場合よりも汚染による視認性の低下度合いは低く抑えることができる。
【００１２】
また請求項２の発明によれば、発光部が点滅することにより道路利用者に対し能動的に働きかけて横梁の端縁の存在を示すことができ、視認性を更に高めることができ好ましい。
【００１３】
また請求項３の発明によれば、横梁の中空部に嵌着することで横梁に対して強固に固定することができ好ましい。
【００１４】
また請求項４の発明によれば、太陽電池が一体に設けられていることで、横梁の端縁に発光体を取り付けるのみで高い視認性を具備させることができ、外部電力と接続する配線等の機器を設置する必要がなく、迅速且つ簡便に高い視認性を備えるようにでき好ましい。
【００１５】
また請求項５の発明によれば、横梁の上面を切り欠くことで太陽電池を横梁の中空部内に収容することで、太陽電池の保護を図ることができ好ましい。
【発明を実施するための最良の形態】
【００１６】
本発明に係わる最良の実施の形態について、図面に基づき以下に具体的に説明する。
図１は、本発明に係わる高視認性防護柵の、実施の一形態を示す説明図である。防護柵１００は、道路Ｒに沿って延設された車両防護用の高欄であり、壁高欄Ｋ上に立設された支柱３０に複数段の横梁２０が取り付けられて形成されている。支柱３０間についてはインナースリーブ等により横梁２０が連続して取り付けられるが、端部については支柱３０の外側に横梁２０が突出して、その端縁が車両や歩行者等の道路利用者に正対した状態となされるのが一般的である。
【００１７】
かかる防護柵１００を構成する横梁２０の内、最も口径の大きい最上段の横梁２０Ａの延設方向の端縁に発光部１０が取り付けられていることで、防護柵１００の端縁は発光部１０の発光により夜間においても明りょうに視認でき、また車両の前照灯からの光が入射されない状態でも発光部１０からの漏洩光により横梁２０Ａの端縁は視認することができ、あらゆる方向からの車両の接近に対しても高い視認性を示すことができる。発光部１０は、複数段の横梁２０の内いずれかの横梁２０に設けられていれば端縁の位置を認識できるが、各々の横梁２０の端縁全てについて設けて、更に視認性を高めてもよい。
【００１８】
図２〜図４は、図１に示した発光部の詳細を示すもので、図２は発光体１０全体を示す斜視図である。発光部１０は、全体として円筒状の形状となされることで断面円形の鋼管に対して嵌着可能な形状となされており、円筒状の一方の端縁からやや奥まった位置に前面板３が設けられている。前面板３にはカバーに覆われてＬＥＤである六体の発光体１が配置され、中央にプリズム反射体である円形の反射体Ｒが取り付けられており、反射体Ｒを囲むように発光体１が配置されている。反射体Ｒにより万一発光体１が電池切れ等により発光体が発光しなくなった場合でも再帰反射がなされることで、夜間における視認性が完全に喪失することは回避できる。発光部１０の上面には太陽電池セル２１を備えた太陽電池部２が一体に備えられ、太陽電池セル２１が太陽光を受光することで発電した電力により発光体１が発光できるようになされている。
【００１９】
図３は、図２のＡ−Ａ断面図である。太陽電池部２はカバー及び充填材等により太陽電池セル２１が封止され太陽電池セル２１により発電された電力は電気二重層コンデンサである蓄電手段４に蓄電される。発光体１は、基板５に取り付けられると共に前面板３から突出され、その前面にはカバー１１が設けられている。尚、基板５は前面板３を兼ねるものとしてもよい。前面板３が端縁からやや奥まった位置に配置されることで発光部１０の上方の端縁が庇部３１となされ、発光体１のカバー１１が汚染される度合いを少なくすると共に、周囲から前面板３に入射する光を遮って前面板３に配置された発光体１の視認性をより高めるようになされている。
【００２０】
発光体１はＬＥＤであり、太陽電池セル２１による発電電圧が一定値以下に低下した場合に暗くなったことを検知し、太陽電池セル２１の太陽光の受光により発生し蓄電手段４に蓄電された電力が基板５に設けられた回路により発光体１に供給されて発光体１の発光が開始される。発光体１は常時点灯させておいてもよいが、点滅発光させることで道路利用者に対してその存在を能動的に喚起させ、視認性の向上に繋がると共に、発光に係わる消費電力を少なくして点灯時間を延長させることができる。
【００２１】
発光部１０は、図４に示す如く横梁２０Ａに取り付けられる。横梁２０Ａは高欄に用いられる外径１３９．８ｍｍ、厚み３．５ｍｍの丸形鋼管であり、従って内径１３２．８ｍｍの中空部２０Ａ１を備えるものである。更に横梁２０Ａは端縁付近の上面が切り欠かれて切欠き部２０Ａ２が設けられ、発光体１０が中空部６に嵌入された場合に、太陽電池部２がほぼ上方に露出して太陽光を最大限に受光可能となるようになされると共に、太陽電池部２の周辺に切り欠き部２０Ａ２が配置され、太陽電池部２は外部からの外力等から保護されて破損が起こりにくくなされている。発光部１０は円筒状の形状となされていることで、丸形鋼管に嵌着可能となされているが、取り付ける対象が角形鋼管であれば方形柱状の形状としておいてもよい。円筒状の発光部１０の外径を、横梁２０Ａの外径より僅かに小さく、例えば１３２ｍｍの外径としておくことで強固な嵌着を行うことができ、また中空部６に嵌着することで発光部１０自体も横梁２０Ａにより保護される。嵌着された発光部１０は、接着剤を用いて接着したり、ボルト、ビス、リベット等で締結することで横梁２０Ａに固着しておくのが好ましい。
【００２２】
発光部１０の円筒状の駆体は、アルミニウム押出形材、鋳物、曲げ加工材等の金属材料を用いて形成してもよいが、太陽電池部２を設ける等、複雑な形状となる場合には合成樹脂を用いて射出成形等により形成するのが好ましく、また金属材料及び合成樹脂材料を組み合わせて形成してもよい。発光体１については、光源としての寿命が長く、消費電力の小さいＬＥＤを用いるのが好ましいが、特に限定されるものではなく豆電球、蛍光球等を用いてもよい。
【００２３】
図５〜図７は、本発明に係わる発光部の、他の実施形態を説明する図面である。まず図５において、両端が開口され、上面が平坦部６１となされたアルミニウム押出形材からなる筒状の駆体６の、両端に前面板３及び背面板７が取り付けられる。前面板３には予めカバーに覆われてＬＥＤである六体の発光体１が取り付けられ、更に取付用のビス孔３２が穿設されている。背面板７は駆体６の直径よりやや大きくなされた円形のアルミニウム板で、前面板３と同じ位置にビス孔７１が穿設されている。駆体６の内面には、ビスを螺着するビスホール６２が設けられており、駆体６が押出形材であることから、ビスホール６２は駆体６の両端に設けられている。また駆体６の前面板３近くの側面には、横梁への取付用のボルト孔６３が設けられ、筒状の中空部には蓄電池４及び基板５が取り付けられている。前面板３のビス孔３２に挿通されたビスＢ１と、背面板７のビス孔７１に挿通されたビスＢ２とがそれぞれ駆体６のビスホール６２に螺着されることで、前面板３及び背面板７は駆体６に固定される。更に駆体６の円筒状の外側Ｒと同じ円弧状の上面となされ、下面が平坦となされ太陽電池セルを備えた太陽電池部２が、駆体６上面の平坦部６１に両面テープ等を用いて固定される。太陽電池部２は、円筒状の駆体６における平坦部６１を補完する形状となされており、太陽電池部２が取り付けられても、外形上違和感は少ないものとなされている。
【００２４】
次に図６において、前面板３の更に前面側にカバー８が取り付けられる。カバー８は横梁２０への取付時においてオーバーキャップ状となるもので、発光体１を挿通する貫通孔８１と、中央に固定用のリベット孔８２が設けられているものである。カバー８は、前面板３中央に穿設されたリベット孔３３及びカバー８のリベット孔８２にリベットＴが挿通されて締結されることで前面板３の前面側に取り付けられ、更にリベットＴの締結後にカバー８の中央部には反射体Ｒが接着剤等を用いて取り付けられることでリベットＴが隠されるようになされている。カバー８が取り付けられることで形成された発光部１０は、切欠き部２０Ａ２が設けられた横梁２０Ａの中空部２０Ａ１に嵌入され、駆体６に穿設されたボルト孔６３と横梁２０Ａに穿設されたボルト孔２０Ａ３を用いて、ボルトＢ３が螺着されることで横梁２０Ａに強固に固定される。
【００２５】
図７は、横梁２０Ａへの発光部１０の取付状態を示す断面図である。横梁２０Ａに対して発光部１０は、駆体６は中空部２０Ａ１に嵌入され、前面板３は横梁２０Ａの端面に当接され、カバー８はオーバーキャップとなされており、外観上見える部分は発光体１、太陽電池部２の上面及びカバー８のみであり、発光体１の取付部分等、複雑な部分が見えることがなく、取付状態の外観は簡潔で良好なものとなる。太陽電池部２の背面側には横梁２０Ａの内側に位置する突起部２２が設けられ、万一太陽電池部２が駆体６から外れた場合でもカバー８及び突起部２２により脱落が防止できる。また、駆体６内に電気機器類が収納され、前面板３及び背面板７により水密構造となされていることで、電気機器類への水分の接触を防止し、その耐久性を高めるようになされている。
【図面の簡単な説明】
【００２６】
【図１】本発明に係わる防護柵の、実施の一形態を示す斜視図である。
【図２】図１に示した発光部の詳細を示す説明図である。
【図３】図１に示した発光部の詳細を示す断面図である。
【図４】横梁に対する発光部の取り付けを示す説明図である。
【図５】本発明に係わる発光部の、他の実施形態を示す斜視図である。
【図６】本発明に係わる発光部の、他の実施形態を示す斜視図である。
【図７】本発明に係わる発光部の、他の実施形態を示す断面図である。
【符号の説明】
【００２７】
１    発光体
２    太陽電池部
２１  太陽電池セル
１０  発光部
２０、２０Ａ  横梁
２０Ａ１  中空部
２０Ａ２  切欠き部
３０  支柱
【図１】
2005188096.tif 000002
【図２】
2005188096.tif 000003
【図３】
2005188096.tif 000004
【図４】
2005188096.tif 000005
【図５】
2005188096.tif 000006
【図６】
2005188096.tif 000007
【図７】
2005188096.tif 000008